(57)【特許請求の範囲】
【請求項１】
コンピュータシステムによって、モバイルコンピュータデバイスに広告を提供するステップを具備する方法であって、前記広告は、地理的位置に位置しているオフラインストアに関連付けられ、前記提供するステップは、前記広告を前記モバイルコンピュータデバイス上に提示させ、
前記方法は、
前記広告を前記モバイルコンピュータデバイスに提供した後に前記コンピュータシステムにおいて、前記広告が前記モバイルコンピュータデバイス上に提示された後の閾値期間内に前記モバイルコンピュータデバイスが移動した位置を少なくとも識別する、前記モバイルコンピュータデバイスに関連付けられた空間的情報を受信するステップと、
前記コンピュータシステムによって、（１）前記モバイルコンピュータデバイスに関連付けられた前記空間的情報、及び（２）前記オフラインストアの前記地理的位置の比較に少なくとも一部基づいて、前記広告の変換尤度を決定するステップとを具備し、前記変換尤度は、ユーザが前記広告を視聴したことに反応して前記ユーザが前記オフラインストアへ物理的に移動した確率を示し、
前記方法は、前記広告の変換尤度を提供するステップを具備することを特徴とする方法。
【請求項２】
前記方法は、前記広告が前記モバイルコンピュータデバイス上に提示される前に、前記モバイルコンピュータデバイス上に広告を表示するための要求を受信するステップをさらに具備し、前記要求は、少なくとも、前記要求が前記モバイルコンピュータデバイスによって提供された時点における前記モバイルコンピュータデバイスの位置を識別する、前記モバイルコンピュータデバイスに関連付けられた他の空間的情報を含み、
前記方法は、前記他の空間的情報及び前記オフラインストアの地理的位置に少なくとも一部基づいて、前記オフラインストアに関連付けられた広告を識別するステップをさらに具備することを特徴とする請求項１に記載の方法。
【請求項３】
前記方法は、前記モバイルコンピュータデバイスが前記位置にあった時間の長さを示す、前記モバイルコンピュータデバイスに関連付けられた時間的情報を受信するステップをさらに具備し、
前記変換尤度は、前記時間的情報にさらに少なくとも一部基づいて決定される、ことを特徴とする請求項１に記載の方法。
【請求項４】
前記方法は、前記オフラインストアに関連付けられた地理的領域を識別するステップをさらに具備し、
前記変換尤度は、前記空間的情報に基づいて前記モバイルコンピュータデバイスが前記地理的領域内にあるかどうかの判定にさらに基づいて決定される、ことを特徴とする請求項１に記載の方法。
【請求項５】
命令を含む、コンピュータ読み取り可能記憶デバイスに具現化されたコンピュータプログラムであって、前記命令が実行された場合に、以下の動作を１つまたは複数のコンピュータプロセッサに実行させ、
前記動作は、モバイルコンピュータデバイスに広告を提供するステップを含み、前記広告は、地理的位置に位置しているオフラインストアに関連付けられ、前記提供するステップは、前記広告を前記モバイルコンピュータデバイス上に提示させ、
前記動作は、
前記広告を前記モバイルコンピュータデバイスに提供した後に、前記広告が前記モバイルコンピュータデバイス上に提示された後の閾値期間内に前記モバイルコンピュータデバイスが移動した位置を少なくとも識別する、前記モバイルコンピュータデバイスに関連付けられた空間的情報を受信するステップと、
（１）前記モバイルコンピュータデバイスに関連付けられた前記空間的情報、及び（２）前記オフラインストアの前記地理的位置の比較に少なくとも一部基づいて、前記広告の変換尤度を決定するステップとを具備し、前記変換尤度は、ユーザが前記広告を視聴してからの前記閾値期間内でかつ前記ユーザが前記広告を視聴したことに反応して前記ユーザが前記オフラインストアへ物理的に移動した確率を示し、
前記動作は、前記広告の変換尤度を提供するステップを具備する、ことを特徴とするコンピュータプログラム。
【請求項６】
前記動作は、前記広告が前記モバイルコンピュータデバイス上に提示される前に、前記モバイルコンピュータデバイスを通して広告を表示するための要求を受信するステップをさらに具備し、前記要求は、少なくとも、前記モバイルコンピュータデバイスのユーザの別の位置を識別する、前記モバイルコンピュータデバイスに関連付けられた他の空間的情報を含み、
前記動作は、前記他の空間的情報及び前記オフラインストアの地理的位置に少なくとも一部基づいて、前記オフラインストアに関連付けられた広告を識別するステップをさらに具備することを特徴とする請求項５に記載のコンピュータプログラム。
【請求項７】
前記動作は、前記モバイルコンピュータデバイスが前記位置にあった時間の長さを示す、前記モバイルコンピュータデバイスに関連付けられた時間的情報を受信するステップをさらに具備し、
前記変換尤度は、前記時間的情報にさらに少なくとも一部基づいて決定される、ことを特徴とする請求項５に記載のコンピュータプログラム。
【請求項８】
前記動作は、前記オフラインストアに関連付けられた地理的領域を識別するステップをさらに具備し、
前記変換尤度は、前記空間的情報に基づいて前記モバイルコンピュータデバイスが前記地理的領域内にあるかどうかの判定にさらに基づいて決定される、ことを特徴とする請求項５に記載のコンピュータプログラム。
【請求項９】
オフラインストアの広告を出すコンピュータサーバであって、前記コンピュータサーバは、１つまたは複数のプロセッサを具備し、
前記１つまたは複数のプロセッサは、モバイルコンピュータデバイスに広告を提供するように構成され、前記広告は、地理的位置に位置しているオフラインストアに関連付けられ、前記提供することは、前記広告を前記モバイルコンピュータデバイス上に提示させ、
前記１つまたは複数のプロセッサは、
前記広告を前記モバイルコンピュータデバイスに提供した後に、前記広告が前記モバイルコンピュータデバイス上に提示された後の閾値期間内に前記モバイルコンピュータデバイスが移動した位置を少なくとも識別する、前記モバイルコンピュータデバイスに関連付けられた空間的情報を受信するとともに、
（１）前記モバイルコンピュータデバイスに関連付けられた前記空間的情報、及び（２）前記オフラインストアの前記地理的位置の比較に少なくとも一部基づいて、前記広告の変換尤度を決定されるように構成され、前記変換尤度は、ユーザが前記広告を視聴したことに反応して前記ユーザが前記オフラインストアへ物理的に移動した確率を示し、
前記１つまたは複数のプロセッサは、前記広告の変換尤度を提供するように構成される、ことを特徴とするコンピュータサーバ。
【請求項１０】
前記１つまたは複数のプロセッサは、前記広告が前記モバイルコンピュータデバイス上に提示される前に、前記モバイルコンピュータデバイスを通して広告を表示するための要求を受信するようにさらに構成され、前記要求は、少なくとも、前記モバイルコンピュータデバイスのユーザの別の位置を識別する、前記モバイルコンピュータデバイスに関連付けられた他の空間的情報を含み、
前記１つまたは複数のプロセッサは、前記他の空間的情報及び前記オフラインストアの地理的位置に少なくとも一部基づいて、前記オフラインストアに関連付けられた広告を識別するようにされに構成され、ことを特徴とすることを特徴とする請求項９に記載のコンピュータサーバ。
【請求項１１】
前記１つまたは複数のプロセッサは、前記モバイルコンピュータデバイスが前記位置にあった時間の長さを示す、前記モバイルコンピュータデバイスに関連付けられた時間的情報を受信するようにさらに構成され、
前記変換尤度は、前記時間的情報にさらに少なくとも一部基づいて決定される、ことを特徴とする請求項９に記載のコンピュータサーバ。
【請求項１２】
前記１つまたは複数のプロセッサは、前記オフラインストアに関連付けられた地理的領域を識別するようにさらに構成され、
前記変換尤度は、前記空間的情報に基づいて前記モバイルコンピュータデバイスが前記地理的領域内にあるかどうかの判定にさらに基づいて決定される、ことを特徴とする請求項９に記載のコンピュータサーバ。
【請求項１３】
オフラインストアの広告を出すシステムであって、
前記システムは、
各々が１つまたは複数のプロセッサ及びメモリを有する１つまたは複数のコンピュータデバイスと、
前記１つまたは複数のコンピュータデバイスの要求エンジンとを具備し、
前記要求エンジンは、モバイルコンピュータデバイスに広告を提供し、前記広告は、地理的位置に位置しているオフラインストアに関連付けられ、前記提供することは、前記広告を前記モバイルコンピュータデバイス上に提示させ、
前記要求エンジンは、前記広告を前記モバイルコンピュータデバイスに提供した後に、前記広告が前記モバイルコンピュータデバイス上に提示された後の閾値期間内に前記モバイルコンピュータデバイスが移動した位置を少なくとも識別する、前記モバイルコンピュータデバイスに関連付けられた空間的情報を受信し、
前記システムは、（１）前記モバイルコンピュータデバイスに関連付けられた前記空間的情報、及び（２）前記オフラインストアの前記地理的位置の比較に少なくとも一部基づいて、前記広告の変換尤度を決定する手段を具備し、前記変換尤度は、ユーザが前記広告を視聴したことに反応して前記ユーザが前記オフラインストアへ物理的に移動した確率を示し、
前記システムは、前記広告の変換尤度を提供するための前記１つまたは複数のコンピュータデバイスのインターフェースを具備することを特徴とするシステム。
【請求項１４】
前記要求エンジンは、前記広告が前記モバイルコンピュータデバイス上に提示される前に、前記モバイルコンピュータデバイスを通して広告を表示するための要求を受信するようにさらに構成され、前記要求は、少なくとも、前記モバイルコンピュータデバイスのユーザの別の位置を識別する、前記モバイルコンピュータデバイスに関連付けられた他の空間的情報を含み、
前記要求エンジンは、前記他の空間的情報及び前記オフラインストアの地理的位置に少なくとも一部基づいて、前記オフラインストアに関連付けられた広告を識別するようにさらに構成されることを特徴とする請求項１３に記載のシステム。
【請求項１５】
前記要求エンジンは、前記モバイルコンピュータデバイスが前記位置にあった時間の長さを示す、前記モバイルコンピュータデバイスに関連付けられた時間的情報を受信するようにさらに構成され、
前記変換尤度は、前記時間的情報にさらに少なくとも一部基づいて決定される、ことを特徴とする請求項１３に記載のシステム。
【請求項１６】
前記要求エンジンは、前記オフラインストアに関連付けられた地理的領域を識別するようにさらに構成され、
前記変換尤度は、前記空間的情報に基づいて前記モバイルコンピュータデバイスが前記地理的領域内にあるかどうかの判定にさらに基づいて決定される、ことを特徴とする請求項１３に記載のシステム。
【請求項１７】
前記方法は、トランザクション期間を識別するステップをさらに具備し、前記トランザクション期間は、前記オフラインストアに関連付けられるとともに、前記オフラインストアにおいてトランザクションを完了するための最短時間を示し、
前記変換尤度は、前記時間的情報、及び前記オフラインストアに関連付けられた前記トランザクション期間の比較にさらに基づいて決定される、ことを特徴とする請求項３に記載の方法。
【請求項１８】
前記ユーザが前記オフラインストアの広告を視聴した後の少なくとも前記トランザクション期間に、前記モバイルコンピュータデバイスが、前記オフラインストアの閾値距離内にあったことが判定された場合、前記変換尤度は、少なくとも、高確率で前記ユーザが前記オフラインストアにおいてトランザクションを完了したことを示す閾値であると決定される、ことを特徴とする請求項１７に記載の方法。
【請求項１９】
前記空間的情報と前記地理的位置の比較は、
前記オフラインストアの地理的位置の周囲の複数レベルの地理的領域を識別するステップと、
前記複数レベルの地理的領域のいずれが第２空間的情報によって示される第２位置を含むかに基づいて、前記複数レベルの地理的領域のいずれに前記モバイルコンピュータデバイスが入ったかを判定するステップとを具備し、
前記変換尤度は、前記複数レベルの地理的領域のいずれに前記モバイルコンピュータデバイスが入ったと判定されたかにさらに基づいて決定される、ことを特徴とする請求項１に記載の方法。
【発明の詳細な説明】
【技術分野】
【０００１】
本発明は、広告に関する。
【０００２】
本願は、２００７年３月３０日出願の米国特許出願第１１／６９４，６３５号の利益を主張する。
【背景技術】
【０００３】
インターネットを通じたコンテンツ配信は、日々進歩し続けている。コンピューターのユーザーは、電子メール、ニュース、ゲーム、娯楽、音楽、本、及びウェブページを―全て簡単なインターネット接続を通じて（及び、品質が改良されたブロードバンド接続上を通じて）受信することが可能である。インターネットユーザーはまた、例えば、地図、買い物リンク、画像、ブログ、ローカル検索、衛星画像、集団討論、ホスト型コンテンツ、及び電子メールのような大量のアクセスを有する。
【発明の概要】
【発明が解決しようとする課題】
【０００４】
これらのサービスプロバイダーは、関連付けられた評価基準（metrics）を決定するように、ユーザーのこのようなサービスとの通信を決定し、及び／又は、さらにユーザー体験を高めるように、このような通信に基づいてこれらのサービスを変更する。
【課題を解決するための手段】
【０００５】
本発明は、広告変換の評価基準を決定するためのシステム及び方法に関する。いくつかの構成において、方法は、無線デバイスを通じて表示された広告に関連して、ユーザーに関連付けられた空間情報を受信するステップを具備する。前記広告は、地理的な位置を有するオフラインストアに関連付けられている。変換尤度は、少なくも一部において、オフラインストアの空間情報、及び／又は、地理的な位置に基づいて決定される。
【図面の簡単な説明】
【０００６】
【図１】本発明のいくつかの実施形態による広告システムの概略を示すブロック図である。
【図２】図１の広告システムにおいて広告要求を処理する方法の例を説明するためのフローチャートである。
【図３】図１の広告システムにおける小売店に関連付けられた変換尤度を決定する方法の例を説明するためのフローチャートである。
【図４】図１の広告システムにおいて無線デバイスが広告を要求する方法の例を説明するためのフローチャートである。
【発明を実施するための形態】
【０００７】
本発明に係る１又は２以上の実施形態について、添付の図面及び以下の記載において説明する。本発明の他の特徴、目的、及び効果は、記載及び図面から明らかになるとともに、特許請求の範囲から明らかになる。
【０００８】
各々の図面における類似の参照符号は、類似の構成要素を示す。  
【０００９】
図１は、例えば、オフラインストアのために無線デバイスに送信される、広告を提供するための広告システム１００の例を示す。オフラインストアは、少なくとも店のサービスの一部及び／又は製品を、物理的な店舗を通じて提供するため、多くの場合に実店舗として言及する。例えば、オフラインストアは、レストラン、ガソリンスタンド、美容院、フィットネスセンター、及び他の店舗を具備してもよい。いくつかの実施形態において、システム１００は、２つの機能を実行する。すなわち、空間的に隣接している無線デバイスに応答してオフラインストアのための広告を送信するステップと、少なくとも一部において、無線デバイスに関連付けられた空間的（及び、ある場合には時間的）情報に基づいて、オフラインストアにおける変換尤度を決定するステップとを実行する。いくつかの実施形態において、ユーザーは、無線デバイスに関連付けられて空間的情報（及び、おそらく）時間的情報に基づいて、オフラインストアにおける変換尤度を決定するシステム内（又は、外）を選択してもよい。さらに、又はあるいは、いくつかの実施形態において、無線デバイスに関連付けられた情報は、匿名であってもよい。すなわち、無線デバイスに関連付けられた情報は、個人的に特定可能な任意の情報を含んでいてもよい。
【００１０】
一例において、そのようなシステム内に選択したユーザーに対して、システム１００は、無線デバイスがオフラインストアからある距離（例えば、４分の１マイル）内にあることを判定してもよいとともに、無線デバイスを通じて表示するためのオフラインストアに対して広告を送信してもよく、かつ、オフラインストアの近くにおいて費やされた持続時間に基づいて、ユーザーが商品及び／又はサービスを購入しそうであることを判定してもよい。空間的隣接に関して、システム１００は、無線デバイスに関連付けられた空間的情報及び／又は時間的情報を識別してもよいとともに、無線デバイスがオフラインストアに関連付けられた空間的閾値を満たすことを判定してもよい。空間的情報は、例えば座標（例えば、経度、緯度）、オフラインストアからの距離、無線デバイスがオフラインストアの特定範囲内にあることを指し示すこと、判定した位置に関連付けられた誤差、及び／又はその他のような、無線デバイスの位置に関連付けられた情報を具備してもよい。時間的情報は、例えば、範囲に入るタイムスタンプ、範囲から出るタイムスタンプ、範囲内にある無線デバイスに関連付けられた期間、一時的判定のエラー、及び／又はその他のような、無線デバイスが店舗のある距離内にある時間及び／又は期間に関連付けられた情報を具備してもよい。変換尤度に関して、システム１００は、無線デバイスがオフラインストアの特定距離内にある期間を判定するように、時間的情報及び／又は空間的情報を用いてもよい。このような時間的及び／又は空間的情報は、異なる種類のビジネス（例えば、ガソリンスタンド、美容院）に対して異なって用いてもよい。変換尤度に関連して、システム１００は、いくつかの実施形態において、無線デバイスを通じて表示される特定の広告に対する期待変換率を決定してもよい。
【００１１】
いくつかの実施形態において、システム１００は、ネットワーク介して接続されたクライエントデバイス１０２、出版社１０４、及び広告サーバー１０６を具備する。システム１００はまた、オフラインストア１１０を具備する。クライエントデバイス１０２は、任意の通信リンクを用いるネットワーク１０８を通じて、出版社１０４及び／又は広告サーバー１０６に接続又は通信するように動作可能な任意のデバイス（例えば、コンピュータ・デバイス）である。クライエントデバイス１０２は、グラフィカル・ユーザー・インターフェース（ＧＵＩ）１０９を具備するか、又は実行し、あるいは表示するとともに、システム１００に関連付けられた適切な任意のデータを受信し、送信し、処理し、かつ保存するように動作可能な電子デバイスからなる。説明した実施形態は単一のクライエントデバイス１０２を具備する一方、システム１００は、ネットワーク１０８と通信可能に接続した任意数のクライエントデバイス１０２を具備してもよい。さらに、本発明は、多くのユーザーが１つのデバイスを用いてもよいこと、又は、１人のユーザーが複数のデバイスを用いることを意図するものであるが、説明を容易にするために、クライエントデバイス１０２は１人のユーザーが用いる観点から記載する。
【００１２】
本願明細書において用いたように、クライエントデバイス１０２のユーザーは、任意の個人、百貨店、組織、小企業、又は、システム１００を使用する他者を用いるか、もしくは他者にシステム１００を使用するように要求する任意の他の実体である。クライエントデバイス１０２は、パーソナル・コンピューター、タッチスクリーン端末、ワークステーション、ネットワーク・コンピューター、デスクトップ・コンピューター、キオスク、無線データポート、スマートフォン、携帯端末（ＰＤＡ）、これら又は他のデバイス内の１又は２以上のプロセッサ、又は、広告サーバー１０６からコンテンツを視聴するために用いる任意の他の適切な処理デバイス又は電子デバイスを包含するように意図されている。例えば、クライエントデバイス１０２は、外部のネットワーク又はセキュアでないネットワークと無線で接続するように動作可能なＰＤＡであってもよい。他の実施形態において、クライエントデバイス１０２は、例えば、キーパッド、タッチスクリーン、マウス、又は情報を受け入れることが可能な他のデバイスのような入力デバイスと、デジタル・データ、視覚情報、又はＧＵＩ１０９を具備するとともに、広告サーバー１０６の広告に関連付けられた情報を伝達する出力デバイスとを具備するラップトップ・コンピューターからなる。入力デバイス及び出力デバイスの両方は、例えば、磁気的コンピュータ・ディスク、ＣＤ−ＲＯＭ、又は、例えばＧＵＩ１０９のようなディスプレイを通じて、クライエントデバイス１０２のユーザーから入力を受信するとともに、クライエントデバイス１０２のユーザーに出力を提供する他の適切な媒体のような、固定した記憶媒体又は取外し可能な記憶媒体を具備してもよい。
【００１３】
前記ＧＵＩ１０９は、クライエントデバイス１０２のユーザーが、例えば、広告１２０を視聴するような任意の適切な目的のために、少なくともシステム１００の一部とインターフェースすることを可能にするように動作可能なグラフィカル・ユーザー・インターフェースからなる。一般に、ＧＵＩ１０９は、特定のユーザーに、システム１００が提供した、又は、システム１００内で通信した、効果的かつユーザーフレンドリーなデータ表示を提供する。ＧＵＩ１０９は、複数のカスタマイズ可能なフレームから構成されてもよく、又は、対話型フィールド、プルダウン・リスト、及び／又はユーザーによって動作可能なボタンを有する複数のビューから構成されてもよい。グラフィカル・ユーザー・インターフェースという用語は、単数で用いてもよく、又は、１又は２以上のグラフィカル・ユーザー・インターフェース、及び、グラフィカル・ユーザー・インターフェースの各ディスプレイを記載するように複数で用いてもよい。ＧＵＩ１０９は、システム１００内の情報を所有するとともにユーザーに結果を表示する、例えば、汎用ウェブブラウザ又はタッチスクリーンのような任意のグラフィカル・ユーザー・インターフェースを具備してもよい。出版社１０４は、例えば、ウェブブラウザ（例えば、マイクロソフト・インターネット・エクスプローラー（Microsoft Internet Explorer（登録商標））、又は、モジラ・ファイアフォックス（Mozilla Firefox））を用いてクライエントデバイス１０２からデータを受け入れてもよいとともに、ネットワーク１０８を用いて、ブラウザに適切な応答（例えば、ＨＴＭＬ又はＸＭＬ）を返してもよい。
【００１４】
前記出版社１０４は、システム１００に関連付けられたデータを、受信し、送信し、処理し、かつ保存するように動作可能な電子デバイス（例えば、コンピュータ・デバイス）からなる。説明した実施形態において、出版社１０４は、ＧＵＩ１０９を通じて表示するためにクライエントデバイス１０２に表示ページ１１２を提供する。表示ページ１１２は、広告がクライエントデバイス１０２のユーザーに表示される表示からなる。一般に、表示ページ１１２は、ＧＵＩ１０９を通じて表示を生成することが可能か、又は生成するように用いられることが可能な、任意のマシン可読であるとともにマシン保存可能な作業生産物を具備する。表示ページ１１２は、ファイル、ファイルの組み合わせ、他のファイルへのリンクが組み込まれた１又は２以上のファイルなどであってもよい。表示ページ１１２は、テキスト、音声、画像、ビデオ、アニメーション、及び、他の属性であってもよい。すなわち、表示ページ１１２は、表示を生成するとともに、表示内に組み込む広告１２０を取り出すための命令を提供するとともに広告スロット１１３と呼ばれる、任意のソースコード又はオブジェクトコードからなる。例えば、広告スロット１１３は、製品及び／又はサービスに関連付けられた情報を表示するためのバナー広告を識別してもよい。このような命令は、例えばジャバスクリプト（Java（登録商標）Script）のような、任意の適切なプログラミング言語で書かれてもよく、又は任意の適切なプログラミング言語に基づいて書かれてもよい。
【００１５】
前記広告サーバー１０６は、システム１００に関連付けられたデータを受信し、送信し、処理し、かつ保存するように動作可能な電子コンピュータ・デバイスからなる。システム１００は、サーバー設備と同様に、サーバー以外のコンピューターを用いて実行してもよい。実際、広告サーバー１０６は、任意のコンピューター、例えば、ブレードサーバー、汎用パーソナル・コンピューター（ＰＣ）、マッキントッシュ（Macintosh（登録商標））、ワークステーション、ユニックスベースのコンピューター、又は、任意の他の適切なデバイスのような、電子デバイス又は処理デバイスであってもよい。換言すれば、システム１００は、汎用コンピューター以外のコンピューターだけでなく、従来のオペレーティングシステムの無いコンピューターを具備してもよい。広告サーバー１０６は、リナックス（Linux）、ユニックス（UNIX（登録商標））、ウィンドウズ（登録商標）（Windows（登録商標））サーバー、又は任意の他の適切なオペレーティングシステムを含む、任意のオペレーティングシステムを実行するように構成されてもよい。ある実施形態において、広告サーバー１０６はまた、ウェブサーバー及び／又はメールサーバーを具備してもよく、又は、ウェブサーバー及び／又はメールサーバーと通信可能なように接続してもよい。
【００１６】
前記広告サーバー１０６は、メモリ１１６と、プロセッサ１１８とを具備する。メモリ１１６は、ローカルメモリであってもよいとともに、任意のメモリ又はデータベース・モジュールを具備してもよく、かつ、特に限定されるものではなく、磁気的媒体、光学的媒体、ランダム・アクセス・メモリ（RAM）、リード・オンリ・メモリ（ROM）、取外し可能な媒体、又は任意の他の適切なローカルメモリ要素又は遠隔メモリ要素を含む、揮発性メモリ又は不揮発性メモリの形式であってもよい。説明した実施形態において、メモリ１１６は、ネットワーク広告１２０、空間的プロファイル１２２、時間的プロファイル１２４、評価基準１２６、及び、デバイスプロファイル１２８を具備するが、本発明の範囲から逸脱することなく他の情報を具備してもよい。局所メモリ１１６はまた、例えば、アプリケーション又はサービス、ファイアウォールポリシー、セキュリティ・ログ又はアクセス・ログ、印刷ファイル又は他の報告ファイル、ＨＴＭＬファイル又はＨＴＭＬテンプレート、データ・クラス又はオブジェクト・インターフェース、子供用ソフトウェアアプリケーション又はサブ・システム、及びその他のような、任意の他の適切なデータを具備してもよい。
【００１７】
前記ネットワーク広告１２０は、ＧＵＩ１０９を通じて二次コンテンツを容易に提供するための任意のパラメータ、ポインタ、変数、アルゴリズム、命令、規則、ファイル、リンク、又は、他のデータを具備する。このようなネットワーク広告１２０は、（その他の下において）初期コンテンツ、二次コンテンツ、及び／又は、スポンサーのあるコンテンツを具備してもよい。例えば、各ネットワーク広告１２０は、テキスト要素、グラフィック要素、マルチメディア要素、二次アプリケーションへのネットワーク・リンク、遠隔モジュールへのネットワーク・リンク、実行可能な要素、又は、任意の他のグラフィカル要素又は表示要素であってもよい。詳細な例において、ネットワーク広告１２０は、特定の物理的位置内において、識別されてもよく、あるいは１又は２以上のオフラインストア１１０に関連付けられてもよい。ある実施形態において、ネットワーク広告１２０（又は、それへのポインタ）は、ＳＱＬ命令文又はＳＱＬスクリプトに関して記述したリレーショナル・データベース内の１又は２以上のテーブル内に保存されてもよい。ある実施形態において、ネットワーク広告１２０は、フォーマットされ、保存され、又は、テキストファイル中の様々なデータ構造、拡張マークアップ言語（XML）ドキュメント、仮想記憶アクセス方式（VSAM）ファイル、フラットファイル、ビートリーブ（Btrieve）ファイル、カンマ区切り（CSV）ファイル、内部変数、又は、１又は２以上のライブラリとして定義されてもよい。例えば、特定のネットワーク広告１２０は単に、遠隔的に保存されたサードパーティーに対するポインタであってもよい。他の例において、特定のネットワーク広告１２０は、緊密に連結したサービスのための内部に保存された広告であってもよい。すなわち、ネットワーク広告１２０は、任意の適切なフォーマットにおいて、１つのコンピューター上の又は複数のコンピューターに渡る、１つのテーブル又はファイル、又は、複数のテーブル又はファイルから構成されてもよい。実際、ネットワーク広告１２０の一部又は全部は、本発明の範囲から逸脱することなく局所的又は遠隔的であってもよいとともに、任意の種類の適切なデータを保存してもよい。
【００１８】
前記空間的プロファイルは、オフラインストア１１０に関連付けられた空間的情報を識別するためのパラメータ、変数、ポリシー、アルゴリズム、命令、設定、又は、規定を具備してもよい。例えば、空間的プロファイル１２２は、オフラインストア１１０に関連付けられた地理的エリアを識別してもよい。いくつかの実施形態において、空間的プロファイル１２２は、位置と、物理的位置の周囲の領域とを識別してもよい。勿論、上記のパラメータは例示するためのものであり、本発明の範囲内のいくつかの実施形態を反映していなくてもよい。空間的プロファイル１２２は、１又は２以上の以下のパラメータ、すなわち、位置、１又は２以上のエリア、位置及び／又はエリアに関連付けられたエラー、及び、１又は２以上のオフラインストア１１０の物理的位置に関連付けられた他の情報を具備してもよい。各空間的プロファイル１２２は、１又は複数のオフラインストア１１０に関連付けられてもよい。複数の空間的プロファイル１２２は、単一のオフラインストア１１０に関連付けられてもよい。いくつかの実施形態において、複数レベルの地理的領域が、単一のオフラインストア１１０のために定義されてもよい。例えば、最内部の地理的領域を含む空間的プロファイル１２２は、建物又はオフラインストア１１０によって占有された小売スペースのパラメータを定義してもよい。より大きな領域を含む空間的プロファイル１２２は、オフラインストア１１０の客用の主要な駐車場を具備するように定義されてもよい。さらに広い地理的領域は、より遠隔的駐車オプションを含む第３空間的プロファイル１２２内に提供されてもよい。この方法において、変換確率は、異なる地理的領域に関連付けられてもよい。いくつかの実施形態において、より大きな領域は、内部エリアの大部分と比較して、より低い関連確率を有する。空間的プロファイル１２２は、ＳＱＬ命令文又はＳＱＬスクリプトに関して記述したリレーショナル・データベース内に保存された１又は２以上のテーブル内に保存されてもよい。他の実施形態において、空間的プロファイル１２２は、フォーマットされ、保存され、又は、テキストファイル中の様々なデータ構造、ＨＴＭＬドキュメント、ＸＭＬドキュメント、ＶＳＡＭファイル、フラットファイル、ビートリーブファイル、ＣＳＶファイル、内部変数、又は、１又は２以上のライブラリとして定義されてもよい。すなわち、空間的プロファイル１２２は、任意の適切なフォーマットにおいて、１つのコンピューター上の又は複数のコンピューターに渡る、１つのテーブル又はファイル、又は、複数のテーブル又はファイルから構成されてもよい。さらに、空間的プロファイル１２２は、本発明の範囲から逸脱することなく局所的又は遠隔的であってもよいとともに、任意の種類の適切なデータを保存してもよい。
【００１９】
前記時間的プロファイル１２４は、オフラインストア１１０に関連付けられた時間的情報を識別するためのパラメータ、変数、ポリシー、アルゴリズム、命令、設定、又は、規定を具備してもよい。例えば、時間的プロファイル１２４は、営業時間及び／又はオフラインストア１１０に訪問したクライエントの平均時間の長さを識別してもよい。いくつかの実施形態において、時間的プロファイル１２３は、オフラインストアが営業する週の各曜日に対して一日の時間を識別してもよい。いくつかの実施形態において、時間的プロファイル１２４は、オフラインストア１１０における１又は２以上の変換を実行するための１又は２以上の時間長を定義してもよい。例えば、時間的プロファイル１２４は、４時間の自動車購入と、３０分間のレンタカーを関連付けてもよい。他の実施形態において、時間的プロファイル１２４は、２時間の住宅アプリケーションと、４５分間の自動車ローンアプリケーションとを関連付けてもよい。時間的プロファイル１２４のいくつかは、異なる種類のオフラインストア１１０に関連付けられてもよい。例えば、第１時間的プロファイル１２４は、ガソリンスタンドに関連付けられているとともに、購入は平均して５分間であることを示してもよい一方で、第２時間的プロファイル１２４は、以下の、特定の店舗、店舗の種類、営業時間、期間、変換種類、及びその他のうち、１又は２以上を具備してもよい。勿論、上記のパラメータは例示のためのものであり、本発明の範囲内のいくつかの実施形態を反映しなくてもよい。各時間的プロファイル１２４は、１又は複数のオフラインストア１１０に関連付けられてもよい。いくつかの実施形態において、複数の時間的プロファイル１２４は、変換種類に基づく単一のオフラインストア１１０であってもよい。例えば、より短い訪問時間枠を含む時間的プロファイル１２４は、整髪用化粧品の購入によるものであってもよい一方で、より長い訪問時間枠を含む時間的プロファイル１２４は、散髪と関連付けてもよい。他の実施形態において、オフラインストア１１０は、標準的な業務時間をリストする時間的プロファイル１２４と、例えば、クリスマス週、又は感謝祭の翌日のような休日の業務時間を含む１又は２以上の時間的プロファイル１２４とに関連付けられてもよい。時間的プロファイル１２４は、ＳＱＬ命令文又はＳＱＬスクリプトに関して記述したリレーショナル・データベース内に保存された１又は２以上のテーブル内に保存されてもよい。他の実施形態において、時間的プロファイル１２４は、フォーマットされ、保存され、又は、テキストファイル中の様々なデータ構造、ＨＴＭＬドキュメント、ＸＭＬドキュメント、ＶＳＡＭファイル、フラットファイル、ビートリーブファイル、ＣＳＶファイル、内部変数、又は、１又は２以上のライブラリとして定義されてもよい。すなわち、時間的プロファイル１２４は、任意の適切なフォーマットにおいて、１つのコンピューター上の又は複数のコンピューターに渡る、１つのテーブル又はファイル、又は、複数のテーブル又はファイルから構成されてもよい。さらに、時間的プロファイル１２４は、本発明の範囲から逸脱することなく局所的又は遠隔的であってもよいとともに、任意の種類の適切なデータを保存してもよい。
【００２０】
前記デバイスプロファイル１２８は、クライエントデバイス１０２の空間的及び／又は時間的活動、例えば、変換決定システム内に選択したクライエントデバイスの空間的及び／又は時間的活動を判定するためのパラメータ、変数、ポリシー、アルゴリズム、命令、設定、又は、規定を具備してもよい。例えば、各デバイスプロファイル１２８は、個人的に識別可能な情報を用いることなく、位置と、関連付けられたタイムスタンプとを識別してもよい。あるいは又はさらに、命令は、空間的（及び、おそらく時間的）識別の予測上の制限を具備してもよい。いくつかの実施形態において、デバイスプロファイル１２８は、以下の、位置、領域、タイムスタンプ、日付、デバイスの種類、及びその他のうち、１又は２以上を具備してもよい。いくつかの実施形態において、広告サーバー１０６は、例えば、ネットワーク１０８を問い合わせることによって、クライエントデバイス１０２についての匿名情報を判定することが可能である。他の実施形態において、携帯電話プロバイダーのようなサードパーティー（図１には図示せず）は、クライエントデバイス１０２に対して時間的及び／又は時間的情報を提供してもよい。他の実施形態において、ユーザーが変換決定システム内に選択するとき、情報は匿名でなくてもよい。いくつかの実施形態において、デバイスプロファイル１２８はまた、デバイスに関連付けられた地理的領域（例えば、ユーザーの自宅住所、ユーザーの勤務先住所）を具備してもよい。勿論、上記のパラメータは例示するためのものであり、本発明の範囲内のいくつかの実施形態を反映していなくてもよい。いくつかの実施形態において、各デバイスプロファイル１２８は、単一又は複数のクライエントデバイス１０２に関連付けられてもよい。いくつかの実施形態において、複数のデバイスプロファイル１２８が、単一のクライエントデバイス１０２に関連付けられてもよい。いくつかの実施形態において、デバイスプロファイル１２８は、単一のユーザーに関連付けられていてもよいとともに、ユーザープロファイルと呼ばれてもよい。ユーザープロファイルの場合に、デバイスプロファイル１２８は、各ユーザーのデバイスの空間的及び／又は時間的情報を具備してもよい。
【００２１】
前記デバイスプロファイル１２８は、ＳＱＬ命令文又はＳＱＬスクリプトに関して記述したリレーショナル・データベース内に保存された１又は２以上のテーブル内に保存されてもよい。他の実施形態において、デバイスプロファイル１２８は、フォーマットされ、保存され、又は、テキストファイル中の様々なデータ構造、ＨＴＭＬドキュメント、ＸＭＬドキュメント、ＶＳＡＭファイル、フラットファイル、ビートリーブファイル、ＣＳＶファイル、内部変数、又は、１又は２以上のライブラリとして定義されてもよい。すなわち、デバイスプロファイル１２８は、任意の適切なフォーマットにおいて、１つのコンピューター上の又は複数のコンピューターに渡る、１つのテーブル又はファイル、又は、複数のテーブル又はファイルから構成されてもよい。さらに、デバイスプロファイル１２８は、本発明の範囲から逸脱することなく局所的又は遠隔的であってもよいとともに、任意の種類の適切なデータを保存してもよい。
【００２２】
前記評価基準１２６は、広告１２０に応答して、オフラインストア１１０に訪問していたクライエントデバイス１０２の尤度を評価するためのパラメータ、変数、ポリシー、アルゴリズム、命令、設定、又は、他の指示を具備してもよい。いくつかの実施形態において、評価基準１２６は、広告１２０の変換が生じた確率を決定するための表現を識別する。あるいは、又は組み合わせて、評価基準１２６は、クライエントデバイス１０２のオフラインストア１１０への訪問に関連付けられた領域的及び／又は時間的基準の範囲と、各範囲に関連付けられた広告１２０に起因するトランザクションに終わった訪問の尤度とを識別してもよく、又は、識別するように用いてもよい。これは、変換尤度と呼んでもよい。例えば、評価基準は、３つの範囲を区別してもよいとともに、以下の１又は２以上の尤度を関連付けてもよい。３つの範囲はすなわち、ありそうな、場合によっては、又は、ありそうもないである。いくつかの実施形態において、評価基準１２６は、少なくとも一部において、オフラインストア１１０に関連付けられた、１又は２以上の空間的プロファイル１２２、及び／又は、１又は２以上の時間的プロファイル１２４から得た情報に基づいていてもよい。広告変換を評価する基準を具備することに加え、評価基準１２６は、空間的プロファイル１２２、及び／又は、時間的プロファイル１２４を用いて計算を実行するための数学的表現を具備してもよい。すなわち、評価基準１２６は、トランザクションが少なくとも広告１２０の受信に応答してオフラインストア１１０において完了した確率を計算するための数学的表現を具備してもよい。例えば、評価基準１２６は、各範囲が特定の尤度に関連付けられるような特定の範囲を具備してもよい。このような範囲は、出版社１０４、又は広告サーバー１０６のユーザーによって提供されてもよく、広告サーバー１０６によってダイナミックに決定されてもよく、あるいは、任意の他の適切なデバイス、又は、システム１００に関連付けられたユーザーによって提供されてもよい。例えば、３つの空間的プロファイル１２２は、オフラインストア１１０のために存在してもよい。３つの空間的プロファイルと、空間的プロファイルに関連付けられた領域を訪れている最短時間を用いて、評価基準は、生じた広告変換尤度を評価するアルゴリズムを含んでもよい。評価基準１２６は、広告１２０及び／又は出版社１０４に関連付けられた任意の適切な属性に基づいていてもよい。例えば、評価基準１２６は、特定の休日（例えば、復活節、クリスマス）中の広告変換を評価するための基準を具備してもよい。評価基準１２６は、ＳＱＬ命令文又はＳＱＬスクリプトに関して記述したリレーショナル・データベース内に保存された１又は２以上のテーブル内に保存されてもよい。他の実施形態において、評価基準１２６は、フォーマットされ、保存され、又は、テキストファイル中の様々なデータ構造、ＨＴＭＬドキュメント、ＸＭＬドキュメント、ＶＳＡＭファイル、フラットファイル、ビートリーブファイル、ＣＳＶファイル、内部変数、又は、１又は２以上のライブラリとして定義されてもよい。すなわち、評価基準１２６は、任意の適切なフォーマットにおいて、１つのコンピューター上の又は複数のコンピューターに渡る、１つのテーブル又はファイル、又は、複数のテーブル又はファイルから構成されてもよい。さらに、評価基準１２６は、本発明の範囲から逸脱することなく局所的又は遠隔的であってもよいとともに、任意の種類の適切なデータを保存してもよい。
【００２３】
前記プロセッサ１１８は命令を実行するとともに、広告サーバー１０６の処理を実行するようにデータを巧みに処理する。図１には、広告サーバー１０６内に単一のプロセッサ１１８を図示したが、複数のプロセッサ１１８を特定の必要性によって用いてもよいとともに、プロセッサ１１８の参照符号は、適用可能な場所に複数のプロセッサを具備することを意味してもよい。説明した実施形態において、プロセッサ１１８は、出版社１０４、又はネットワーク１０８に接続した任意の適切なコンピューターシステムからの、入力又は要求に応答して、要求エンジン１３２と、任意の適切な時間における変換エンジン１３４とを実行する。要求エンジン１３２は、出版社１０４によって転送された情報、及び、任意の他の適切な基準に基づいて、広告１２０を取り出すとともに転送するように動作可能な、任意のソフトウェア、ハードウェア、及び／又はファームウェア、又はこれらの組み合わせを具備する。広告１２０を選択する場合において、要求エンジン１３２は、例えば、ネットワーク１０８を通じて提供された空間的位置又はデバイスプロファイル１２８のようなクライエント情報を受信してもよいとともに、この位置を１又は２以上の空間的プロファイル１２２に適合させてもよく、他の基準（例えば、時間的プロファイル１２４内に含まれた業務時間）に基づいた結果を狭くしてもよく、かつ、関連付けられた広告１２０と出版社１０４に返してもよい。例えば、もしクライエントデバイス１０２が空間的プロファイル１２２に基づいた２つの異なるオフラインストア１１０の近くに居るが日曜日であり、かつ、オフラインストア１１０の１つが時間的プロファイル１２４によって日曜日に営業していないならば、要求エンジンは、日曜日に営業しているオフラインストア１１０に関連付けられた広告１２０を転送してもよい。いくつかの実施形態において、要求エンジン１３２は、任意の適切な数学的及び／又は論理的表現を用いて、空間的プロファイル１２２及び／又は時間的プロファイル１２４と、デバイスプロファイル１２８とを評価してもよい。
【００２４】
前記変換エンジン１３４は、評価基準１２６と、デバイスプロファイル１２８内において、又はネットワーク１０８から調査して収集した時間的及び／又は空間的データとを用いて、任意の他の適切な処理に基づいて広告変換尤度を評価するように動作可能な、任意のソフトウェア、ハードウェア、及び／又はファームウェア、又はこれらの組み合わせを具備する。いくつかの実施形態において、広告変換を評価する場合、変換エンジン１３４は、クライエントデバイス１０２に関するデバイスプロファイル１２８からの匿名の時間的及び／又は空間的データを受信してもよいとともに、評価基準１２６を用いて広告変換可能性を評価してもよく、かつ、広告１２０を表示したクライエントデバイスに基づいて広告変換尤度を決定してもよい。あるいは代替の実施形態において、もしクライエントデバイスの所有者は、ユーザーが高度サービスを受信するように個人的に識別可能な情報を自分のクライエントデバイスに関連付ける変換検出システム内に選択したならば、変換検出システムは追加情報を受信してもよい。いくつかの実施形態において、広告変換の評価に先立って、変換エンジン１３４は、デバイスプロファイル１２８、評価基準１２６、及び／又は、空間的プロファイル１２２及び時間的プロファイル１２４を用いて、１又は２以上の計算を実行してもよい。例えば、変換エンジン１３４は、クライエントデバイス１０２がオフラインストア１１０に関連付けられた領域を訪問した時間と、時間的プロファイル１２４内に提供された営業時間とを比較してもよい。計算に関係なく、変換エンジン１３４は、評価基準１２６を用いて、広告変換を決定する基準を識別してもよい。基準は、数字、範囲、閾値、及び／又は、広告１２０の変換可能性を評価する任意の適切な基準を具備してもよい。
【００２５】
前記広告１２０の変換尤度を計算するステップは、オフラインストア１１０に関連付けられた空間的プロファイル１２２及び／又は時間的プロファイル１２４、及び／又は、広告１２０に関連付けられた評価基準１２６に基づいて、デバイスプロファイル１２８内に収集したデータを評価するステップを具備してもよい。複数のクライエントデバイス１０２は単一のユーザーに関連付けられてもよいために、いくつかの実施形態において、オフラインストア１１０に関連付けられた空間的プロファイル１２２に訪問した地理的領域と比較するとき、複数のデバイスプロファイル１２８が考慮されてもよい。いくつかの実施形態において、変換エンジン１３４は、任意の適切な数学的及び／又は論理的表現を用いて、広告変換尤度を計算してもよい。例えば、変換エンジン１３４は、広告変換尤度に関連付けられた範囲を決定もしくは識別してもよい。例えば、変換エンジン１３４は、広告変換尤度を３つの範囲に分割してもよい。この場合に、３つの範囲は、オフラインストア１１０におけるトランザクションに終わる広告１２０視聴の低確率、中間的確率、高確率に関連付けられてもよい。範囲の例において、変換エンジン１３４は、デバイスプロファイル１２８内に収集した空間的データと、オフラインストア１１０に関連付けられた異なる範囲（例えば、店舗自体、緊急駐車場、遠隔駐車場）とを比較することによって、変換尤度を決定してもよい。いくつかの実施形態において、変換エンジン１３４は、クライエントデバイス１０２に関連付けられた時間的データと、オフラインストア１１０の相対的な地理的位置内で費やした時間範囲の拡大とを比較することによって変換尤度を決定しても良い。一例において、レストランに４５分間訪問することは、２０分間訪問することと比較して、より高い変換尤度を有してもよい。いくつかの実施形態において、変換エンジン１３４はまた、広告変換確率を決定するとき、広告１２０を受信するクライエントデバイス１０２と、広告１２０に関連付けられたオフラインストア１１０の地理的位置内に到着しているクライエントデバイス１０２との間のタイムラグを考慮してもよい。
【００２６】
特定の実施形態に関係なく、本願明細書において用いたような「ソフトウェア」は、ソフトウェア、ファームウェア、有線又はプログラムされたハードウェア、又は、それらの適切な任意の組み合わせを具備してもよい。実際、要求エンジン１３２及び変換エンジン１３４は、Ｃ、Ｃ＋＋、Ｃ＃、ＪＡＶＡ（登録商標）、Ｊ＃、ビジュアル・ベーシック（Visual Basic）、アッセンブラ、Perl、任意の適切なバージョンの４ＧＬ、及びその他を含む任意の適切なコンピューター言語で書かれてもよく、又は記述されてもよい。要求エンジン１３２及び変換エンジン１３４は、個々のモジュールを具備するように図１に示すが、各要求エンジン１３２及び変換エンジン１３４は、数多くの他のサブ・モジュールを具備してもよく、又はその代わりに、様々な機能と、様々な目的、方法、又は他の処理に通じる機能性とを遂行する単一のマルチタスク・モジュールを具備してもよい。さらに、サーバー１０６の内部に図示したようである一方で、要求エンジン１３２及び／又は変換エンジン１３４に関連付けられた１又は２以上の処理は、保存され、参照され、又は遠隔的に実行されてもよい。さらに、要求エンジン１３２及び／又は変換エンジン１３４は、本発明の範囲から逸脱することなく、子供用ソフトウェアモジュール又は他のソフトウェアモジュールのサブ・モジュール、又は企業アプリケーション（図示せず）であってもよい。
【００２７】
前記広告サーバー１０６はまた、クライエントサーバー又は他の分散環境におけるネットワーク１０８を通じて、例えば、出版社１０４及びクライエントデバイス１０２のような他のコンピューターシステムと通信するためのインターフェース１３６を具備する。ある実施形態において、広告サーバー１０６は、ローカルメモリ１１６内の保存、及び／又は、プロセッサ１１８による処理のために、インターフェース１３６を通じて、内部送信者又は外部送信者からのデータを受信する。一般に、インターフェース１３６は、適切な組み合わせであるとともに、ネットワーク１０８と通信するように動作可能なソフトウェア及び／又はハードウェア内に符号化された論理からなる。詳細には、インターフェース１３６は、通信ネットワーク１０８に関連付けられた１又は２以上の通信プロトコルをサポートするソフトウェア、又は、物理的信号を通信するように動作可能なハードウェアから構成されてもよい。
【００２８】
前記ネットワーク１０８は、広告サーバー１０６と、例えば、出版社１０４及びクライエントデバイス１０２のような、任意の他の局所的コンピューター又は遠隔的コンピューターとの間の無線通信又は有線通信を促進する。ネットワーク１０８は、企業ネットワーク又はセキュアネットワークの全部又は一部であってもよい。単一のネットワークとして図示したが、少なくともネットワーク１０８の一部が、広告１２０と、広告サーバー１０６、出版社１０４、及びクライエントデバイス１０２間のクライエントデータとの通信を促進する可能性がある限り、ネットワーク１０８は、本発明の範囲から逸脱することなく、様々なサブ・ネット又は仮想的ネットワーク内に論理的に分割した連続的なネットワークであってもよい。いくつかの実施形態において、ネットワーク１０８は、システム１００内の様々なコンピューター構成要素間の通信を促進するように動作可能な、任意の内部又は外部ネットワーク、ネットワーク網、サブネットワーク、又はこれらの組み合わせを含んでもよい。ネットワーク１０は、例えば、インターネットプロトコル（IP）パケット、フレームリレー（Frame Relay）フレーム、非同期転送モード（ATM）セル、音声、ビデオ、データ、及び他の適切な情報を、ネットワークアドレス間において通信してもよい。ネットワーク１０８は、１又は２以上のローカルエリア・ネットワーク（LAN）、無線アクセスネットワーク（RAN）、メトロポリタン・アリア・ネットワーク（MAN）、広域ネットワーク（WAN）、インターネットとして公知の世界的なコンピューターネットワークの全部又は一部、及び／又は、１又は２以上の位置における単体又は複数の任意の他の通信システムを具備してもよい。
【００２９】
前記出版社１０４は、クライエントデバイス１０２から、表示ページ１１２の要求を受信する。いくつかの実施形態において、出版社１０４は、広告サーバー１０６に、クライエントデバイス１０２に関する匿名の情報を具備する広告要求を送信する。空間的プロファイル１２２、時間的プロファイル１２４、及び／又は、デバイスプロファイル１２８から得た要求又は情報に基づいて、要求エンジン１３２は広告１２０を識別する。広告サーバー１０６は、出版社１０４に広告を送信する。出版社１０４は、クライエントデバイス１０２に、広告１２０を具備している要求表示ページ１１２を送信する。広告サーバー１０６は、クライエントデバイス１０２の位置を決定する。例えば、いくつかの実施形態において、広告サーバー１０６は、ネットワーク１０８を用いて、匿名の位置情報を受信してもよく、周期的に調査してもよく、又は、識別してもよい。いくつかの実施形態において、広告サーバー１０６は、位置情報を有する関連付けられたデバイスプロファイル１２８を更新する。この期間は、広告１２０の性質、及び／又は、オフラインストア１１０によって提供されたサービスの性質に依存して変化してもよい。もし設定期間中に、クライエントデバイス１０２がオフラインストア１１０の領域に入るならば、広告サーバー１０６は、前記領域内で費やされる合計時間を計算する。匿名のクライエントデバイス１０２が領域を訪問したとして認識された後、又は設定期間が終了した後、変換エンジン１３４は、変換尤度を決定するように、この時間的及び／又は空間的データを評価基準１２６に添って用いる。
【００３０】
図２は、本発明のいくつかの実施形態に伴う広告要求を処理するための方法２００を例示するフローチャートである。一般に、方法２００は、要求に応答して表示するように、最も近いか又は最も便利な小売店を決定するとともに、要求者に広告情報を送信し返しながら、オフラインストアに関連付けられた広告要求を受信する技術の例を記載する。方法２０は、記載した機能性の一部又は全部を実行する論理的要素の、任意の適切な組み合わせ及び再編成を用いることを意図する。
【００３１】
前記方法２００は、オフライン広告の要求を受信するステップ２０２において開始する。いくつかの実施形態において、広告要求は、広告を受信するデバイスを匿名に識別する情報を具備する。例えば、広告サーバー１０６は、出版社１０４から、例えば、クライエントデバイス１０２に最も近いオフラインストア１１０に関連付けられた広告要求を受信してもよい。いくつかの実施形態において、例えばユーザーが高度サービスに対して選択したもののように、要求はこの状況において、例えば、携帯電話番号、ネットワークサービスプロバイダーの顧客識別子、及び／又は、他の情報のような、クライエントデバイス１０２を識別する情報を含んでもよい。
【００３２】
ステップ２０４において、１又は２以上の空間的属性が決定される。例えば、広告サーバー１０６は、ネットワーク１０８を用いて、クライエントデバイス１０２の現在位置を問い合わせてもよい。あるは、広告サーバー１０６は、クライエントデバイス１０２に関連付けられたデバイスプロファイル１２８内において地理的位置を見出してもよい。いくつかの実施形態において、例えば、ユーザーが高度サービスを受信するように選択したような場所に、デバイスプロファイル１２８は、建物の所在地、勤務先住所、自宅住所、及び／又はクライエントデバイス１０２に関連付けられた他の共通な訪問エリアに関する情報を含んでもよい。
【００３３】
これらの空間属性を用いて、ステップ２０６において、オフラインストア近隣向けの広告が識別されてもよい。要求エンジン１３２は、例えば、クライエントデバイス１０２に関連付けられた地理的位置と、空間的プロファイル１２２とを比較してもよい。いくつかの実施形態において、他の情報は、クライエントデバイス１０２のユーザーが最も訪問しがちな小売店に結果を狭くするように用いてもよい。すなわち、空間的プロファイルは、オフラインストア１１０に対する動作時間を含んでもよい。要求エンジン１３２は、現在営業しているオフラインストア１１０を選択するように、業務時間を用いてもよい。
【００３４】
ステップ２０８において、一度空間的プロファイルを選択すると、関連付けられた広告１２０を配置してもよい。いくつかの実施形態において、変換エンジン１３４は、ステップ２０６において選択した空間的プロファイル１２２に基づいて広告１２０を検索する。広告は、次に、ステップ２１０において要求者に中継される。例えば、要求エンジン１３２は、次に、広告要求に応答して出版社１０４に対して広告情報１２０を転送する。出版社１０４はこの状況において、クライエントデバイス１０２に対して広告を転送する。
【００３５】
図３は、本発明のいくつかの実施形態に伴って表示した小売店に対して生成したビジネスを有する広告の尤度を決定するための方法３００を例示するフローチャートである。一般に、方法３００は、無線ネットワークを通じてデバイスと通信するとともに、ユーザーに対して以前に表示した広告に関連付けられたオフラインストアに対して近隣のデバイスを決定するための技術の例を記載する。方法３００に対して、２つの主要な要素がある。第１に、ステップ３６０において、方法３００は、無線デバイスが、オフラインストアに応じた領域に入ったことがあるか否かを判定する。もしあるならば、ステップ３１４において、方法３００は、ユーザーが広告に応答した尤度を決定する領域内の期間を判定する。方法３００は、記載した機能性の一部又は全部を実行する論理的要素の、任意の適切な組み合わせ及び再編成を用いることを意図する。
【００３６】
前記方法３００は、ステップ３０２において、オフラインビジネスに関連付けられた領域を識別することによって開始する。例えば、広告１２０は、出版社１４０からの広告要求に応答してクライエントデバイス１２０に予め転送された。広告サーバー１０６は、例えば、デバイスプロファイル１２８内において、クライエントデバイス１０２を有する広告１２０のインスタンスを伴ってもよい。（例えば、空間的プロファイル１２２内に見出された）広告１２０に関連付けられた領域又は領域集合は、オフラインストア１１０の位置に関連付けられてもよい。
【００３７】
ステップ３０４において、１又は２以上の広告変換時間の閾値が識別される。閾値は、オフラインストアにおける変換の指標となる時間の長さを示す。例えば、これらは、広告１２０に関連付けられた評価基準１２６及び／又は空間的１２４に由来するか又はそれらにおいて識別される。いくつかの実施形態において、閾値は、ユーザーが、特定の広告を視聴したことに応答してオフラインに関連付けられた特定の領域を訪問したことを示す期間に応答する。
【００３８】
広告変換閾値の識別に関連して、方法３００は、クライエントデバイスの地理的位置を匿名で決定する。例えば、広告サーバー１０６は、クライエントデバイス１０２の現在位置を決定するように、設定した間隔でネットワーク１０８を問い合わせてもよく、及び／又はデバイスプロファイル１２８を処理してもよい。ステップ３０６において方法３００はユーザーがオフラインビジネスの付近に入ったことを判定しない場合、かつ、広告変換閾値がステップ３０８において満たされない場合、方法は、次に、広告のインスタンスは低い変換尤度であることを判定する。
【００３９】
しかしながら、方法３００は、ステップ３０６において、ユーザーがオフラインストアに関連付けられた領域に入ったことを見出す場合、方法３００は、ステップ３１２において、識別した領域内における特定の変換に対する閾値を識別する。上述したように、閾値は、特定のオフラインストアにおける変換の種類に依存して変化してもよい。例えば、時間的プロファイル１２４及び／又は評価基準１２６は、トランザクションを完了するように、オフラインストア１１０の領域内における合計時間に関する規定含んでもよい。この期間は、オフラインストア１１０（例えば、ガソリンスタンドにおいてトランザクションを完了するのに、一般に５分間又はそれ以上の時間がかかる）、広告１２０（例えば、レストランにおいて商品券のトランザクションを完了するのに、一般に５分間又はそれ以上の時間がかかる一方で、料理を購入及び／又は消費するのに、２０分間又はそれ以上の時間がかかる）、及び他のパラメータに基づいていてもよい。方法は、ステップ３１４において、ユーザーに関連付けられた期間と閾値とを比較する。
【００４０】
ステップ３１６において、期間が閾値を満たさない（例えば、クライエントデバイスは領域を出る）場合、次に、方法３００はステップ３１０において、広告が不成功である、及び／又は低い変換尤度を有すると判定する。一例において、広告サーバー１０６は、クライエントデバイスの現在位置上の更新を得るように、期限が切れたネットワーク１０８を問い合わせる。いくつかの実施形態において、広告サーバーは、ネットワーク１０８から定期的な更新を受信する。この場合、変換エンジン１３４は、変換尤度をダイナミックに決定してもよく、及び／又は、デバイスプロファイル１２８における時間的情報を識別してもよい。
【００４１】
オフラインストアの領域内における期間が閾値を満たす場合、方法３００は、ステップ３１８において、ユーザーがオフラインストアに関連付けられた１又は２以上の領域を出るまで、訪問の長さを判定し続けてもよい。この場合、広告サーバー１０６は、異なる種類の変換の尤度を判定してもよい。例えば、コーヒーショップに関連付けられた領域に３０分間訪問するユーザーは、食料製品を購入する尤度が高くてもよい一方で、６分間の訪問は、飲料を購入するだけである尤度が高くてもよい。いくつかの実施形態において、広告サーバー１０６は、デバイスプロファイル１２８において、クライエントデバイス１０２に関連付けられた定期的な地理的データを保存してもよい。
【００４２】
一度、方法３００はユーザーがオフラインストアを訪問して去ったことを判定したならば、方法３００は、ステップ３２０において広告変換を計算してもよい。例えば、変換エンジン１３４は、広告変換の尤度を計算してもよい。評価基準１２６、空間的プロファイル１２２、時間的プロファイル１２４、及び／又は、デバイスプロファイル１２８内に含まれた情報は、これらの計算を決定するように用いてもよい。いくつかの実施形態において、変換エンジン１３４は、結果を離散的範囲（例えば、低尤度、中間的尤度、高尤度）に割当てる。いくつかの実施形態において、変換エンジン１３４は、広告変換の確率を決定する。方法３００は、例えばブール（Boolean）の「はい」／「いいえ」である結果のような尤度を割当てるために、任意の他の計算を実行する。
【００４３】
図４は、無線ネットワークを通じて、広告を要求するための方法４００を例示するフローチャートである。一般に、方法４００は、無線デバイスが、ネットワークを通じてデジタルコンテンツを要求するとともに受信するように用いることが可能な技術の例を記載する。方法４００は、記載した機能性の一部又は全部を実行する論理的要素の、任意の適切な組み合わせ及び再編成を用いることを意図する。
【００４４】
前記方法４００は、ステップ４０２において、無線接続を通じて通信ネットワークにアクセスすることによって開始する。例えば、クライエントデバイスは、任意の適切な形式の無線通信を用いて、ネットワーク１０８にアクセスしてもよい。ステップ４０４において、広告コンテンツ要求は、コンテンツプロバイダーに送信される。広告要求は、クライエントデバイスに要求することを識別する匿名の情報を具備してもよい。一例において、クライエントデバイス１０２は、ネットワーク１０８を介して出版社１０４に対して要求を送信する。いくつかの実施形態において、要求は、匿名のデバイス識別子（例えば、IPアドレス、ユーザーの個人情報を具備しないか又はIPアドレスが匿名ではない権限下のクッキー、文字数字の列など）を具備する。
【００４５】
無線デバイスは、ステップ４０６において、デバイス位置の近隣のオフラインストアに対する広告を受信する。いくつかの実施形態において、広告は、ネットワーク１０８を介して広告サーバー１０６からクライエントサーバー１０２に対して出版社１０４を通じて転送される。いくつかの実施形態において、クライエントデバイス１０２は、クライエントデバイス１０２の現在位置を決定するように、広告選択に先立ってネットワーク１０８によって問い合わせてもよい。これは、広告サーバー１０６が、ユーザーの現在位置に近いオフラインストアに対して広告を配置することを可能にする。他の実施形態において、例えばデバイスプロファイル１２８内に保存した位置データは、広告選択のための空間的入力として用いてもよい。ステップ４０８において、広告は、無線デバイスのGUI内に表示される。
【００４６】
本発明は、ある実施形態及び一般的に関連した方法に関して記載したが、これらの実施形態及び方法の代替及び置換は、当業者に明らかである。従って、上記の実施形態の例は、本発明を定義するものでも制限するものでもない。他の変更、置換、及び代替もまた、本発明の精神及び範囲から逸脱することなく可能である。
【符号の説明】
【００４７】
１０２・・・クライエントサーバー
１０４・・・出版社
１０９・・・GUI
１０６・・・広告サーバー
１１０・・・オフラインストア
１１２・・・表示ページ
１１３・・・広告スロット
１１６・・・メモリ
１１８・・・プロセッサ
１３２・・・要求エンジン
１３４・・・変換エンジン
１０８・・・ネットワーク
１３６・・・ネットワークインターフェース
【図１】
0005453241.tif 000002
【図２】
0005453241.tif 000003
【図３】
0005453241.tif 000004
【図４】
0005453241.tif 000005